(57)【要約】【課題】効率的にカラーブレーキング現象を防止することができる画像投影装置を提案する。【解決手段】  ＣＰＵ２５１に、画像の内容を、予め設定された画像内容特定条件によって特定させる画像内容特定プログラム２７３と、ＣＰＵ２５１に、当該特定された画像の内容に基づいて、予め設定されたカラーホイール１２の回転速度基準によって、カラーホイール１２の回転速度を決定させる回転速度決定プログラム２７４と、当該決定された回転速度でカラーホイール１２を回転させるカラーホイール駆動部２８と、を備えるよう構成した。【選択図】図２
2007178593.tif 000002
【特許請求の範囲】
【請求項１】
光源と、当該光源からの光をＲＧＢの三色の光に色分解し、当該色分解したＲＧＢの三色の光を画像表示素子上に順次出射するカラーホイールと、前記画像表示素子から入射されるＲＧＢの三色の光を出射して、画像照射面上に画像を投写する投写レンズと、を備える画像投影装置において、
前記画像の画像情報を記憶する記憶手段と、
前記記憶手段に記憶された画像情報における所定間隔のフレーム間での画像の変化率を算出する算出手段と、
当該画像投影装置に画像情報が入力される際の入力経路を判別する判別手段と、
前記算出手段により算出された画像の変化率と、前記判別手段により判別された入力経路とによって、前記画像の内容を特定する特定手段と、
前記特定手段により特定された前記画像の内容に基づいて、予め設定された前記カラーホイールの回転速度基準によって、前記カラーホイールの回転速度を決定する決定手段と、
前記決定手段により決定された回転速度で前記カラーホイールを回転させる回転制御手段と、
前記回転制御手段による回転制御を行うか否かの設定入力を行う設定入力手段と、
を備えることを特徴とする画像投影装置。
【請求項２】
光源と、当該光源からの光をＲＧＢの三色の光に色分解し、当該色分解したＲＧＢの三色の光を画像表示素子上に順次出射するカラーホイールと、前記画像表示素子から入射されるＲＧＢの三色の光を出射して、画像照射面上に画像を投写する投写レンズと、を備える画像投影装置において、
前記画像の内容を、予め設定された画像内容特定条件によって特定する特定手段と、
前記特定手段により特定された前記画像の内容に基づいて、予め設定された前記カラーホイールの回転速度基準によって、前記カラーホイールの回転速度を決定する決定手段と、
前記決定手段により決定された回転速度で前記カラーホイールを回転させる回転制御手段と、
を備えることを特徴とする画像投影装置。
【請求項３】
請求項２に記載の画像投影装置において、
前記画像の画像情報を記憶する記憶手段と、
前記記憶手段に記憶された画像情報における所定間隔のフレーム間での画像の変化率を算出する算出手段と、を備え、
前記画像内容特定条件は、画像情報における所定間隔のフレーム間での画像の変化率であることを特徴とする画像投影装置。
【請求項４】
請求項２又は３に記載の画像投影装置において、
当該画像投影装置に画像情報が入力される際の入力経路を判別する判別手段を備え、
前記画像内容特定条件は、画像情報が入力される際の入力経路であることを特徴とする画像投影装置。
【請求項５】
請求項２〜４の何れか一項に記載の画像投影装置において、
前記回転制御手段による回転制御を行うか否かの設定入力を行う設定入力手段を備えることを特徴とする画像投影装置。
【発明の詳細な説明】
【技術分野】
【０００１】
本発明は、画像投影装置に関する。
【背景技術】
【０００２】
従来、複数枚のカラーフィルタを有するカラーホイールを備え、液晶パネルやＤＭＤ（Digital Micromirror Device）などの画像表示素子によって光源からの光を変調し、それを拡大画像としてスクリーンなどに映し出す画像投影装置が知られている。このようなカラーホイールを備えた画像投影装置によれば、当該カラーホイールを高速で回転させることによって、スクリーンに映し出す画像を、あたかもフルカラー画像であるかのように人間の目に映すことができる。
【０００３】
画像投影装置により、例えば、静止画像を表示する際は、明るさが重視され、動画像を表示する際は、色再現性が重視される傾向がある。そこで、例えば、カラーホイールの外周と内周とで、カラーリングを変える方法（特許文献１参照）や、カラーフィルタの配置割合を変える方法（特許文献２参照）などが提案された。具体的には、特許文献１においては、例えば、カラーホイールの外周に、４種類のカラーフィルタ（赤色（Ｒ色）、緑色（Ｇ色）、青色（Ｂ色）及び白色の光を透過するカラーフィルタ）を備え、カラーホイールの内周に、３種類のカラーフィルタ（Ｒ色、Ｇ色及びＢ色の光を透過するカラーフィルタ）を備え、明るさが重視される画像の場合は、光源からの光がカラーホイールの外周を透過するように、色再現性が重視される画像の場合は、光源からの光がカラーホイールの内周を透過するように、光源からの光の光路を切り替える。特許文献２においては、例えば、カラーホイールの外周を６分割して、Ｒ色、Ｇ色及びＢ色の光を透過するカラーフィルタをそれぞれ２枚づつ配置し、カラーホイールの内周を３分割して、Ｒ色、Ｇ色及びＢ色の光を透過するカラーフィルタをそれぞれ一枚づつ配置し、明るさが重視される画像の場合は、光源からの光がカラーホイールの内周を透過するように、色再現性が重視される画像の場合は、光源からの光がカラーホイールの外周を透過するように、光源からの光の光路を切り替える。
また、投影される画像の階調むらがなくなるように、カラーホイールの回転位相を自動調整する方法（特許文献３参照）なども提案された。
【特許文献１】特許第３５６４４５４号公報
【特許文献２】特開２００４−３１７５２８号公報
【特許文献３】特開２００５−２５１３１号公報
【発明の開示】
【発明が解決しようとする課題】
【０００４】
ところで、上述のようなカラーホイールを備える画像投影装置から実際に投影される画像は、ＲＧＢの各色の画像が高速に切り替わることにより表現される画像であるため、例えば、動きの速い像を追って視線を移動させた場合などに、虹状の模様が見える、いわゆるカラーブレーキング現象（カラーブレークアップ現象ともいう。）が起こるといった問題がある。
しかしながら、このような問題は、特許文献１，２，３のように、カラーホイールのカラーリング、配置割合、回転位相を変える方法だけでは解決できない。そこで、例えば、カラーホイールの回転速度を高くする方法が考えられるが、常にカラーホイールを高速回転させるようにすると、高速回転でなくとも上記現象を起こさない画像を投影する場合にまで、高速回転させなければならなくなって効率的でない。さらに、高速回転の際に生じる回転音や振動に対して、常に不快感を抱いてしまうという問題が生じてくる。
【０００５】
本発明の課題は、効率的にカラーブレーキング現象を防止することができる画像投影装置を提案することにある。
【課題を解決するための手段】
【０００６】
上記課題を解決するために、請求項１に記載の発明は、光源と、当該光源からの光をＲＧＢの三色の光に色分解し、当該色分解したＲＧＢの三色の光を画像表示素子上に順次出射するカラーホイールと、前記画像表示素子から入射されるＲＧＢの三色の光を出射して、画像照射面上に画像を投写する投写レンズと、を備える画像投影装置において、前記画像の画像情報を記憶する記憶手段と、前記記憶手段に記憶された画像情報における所定間隔のフレーム間での画像の変化率を算出する算出手段と、当該画像投影装置に画像情報が入力される際の入力経路を判別する判別手段と、前記算出手段により算出された画像の変化率と、前記判別手段により判別された入力経路とによって、前記画像の内容を特定する特定手段と、前記特定手段により特定された前記画像の内容に基づいて、予め設定された前記カラーホイールの回転速度基準によって、前記カラーホイールの回転速度を決定する決定手段と、前記決定手段により決定された回転速度で前記カラーホイールを回転させる回転制御手段と、前記回転制御手段による回転制御を行うか否かの設定入力を行う設定入力手段と、を備えることを特徴とする。
【０００７】
請求項２に記載の発明は、光源と、当該光源からの光をＲＧＢの三色の光に色分解し、当該色分解したＲＧＢの三色の光を画像表示素子上に順次出射するカラーホイールと、前記画像表示素子から入射されるＲＧＢの三色の光を出射して、画像照射面上に画像を投写する投写レンズと、を備える画像投影装置において、前記画像の内容を、予め設定された画像内容特定条件によって特定する特定手段と、前記特定手段により特定された前記画像の内容に基づいて、予め設定された前記カラーホイールの回転速度基準によって、前記カラーホイールの回転速度を決定する決定手段と、前記決定手段により決定された回転速度で前記カラーホイールを回転させる回転制御手段と、を備えることを特徴とする。
【０００８】
請求項３に記載の発明は、請求項２に記載の画像投影装置において、前記画像の画像情報を記憶する記憶手段と、前記記憶手段に記憶された画像情報における所定間隔のフレーム間での画像の変化率を算出する算出手段と、を備え、前記画像内容特定条件は、画像情報における所定間隔のフレーム間での画像の変化率であることを特徴とする。
【０００９】
請求項４に記載の発明は、請求項２又は３に記載の画像投影装置において、当該画像投影装置に画像情報が入力される際の入力経路を判別する判別手段を備え、前記画像内容特定条件は、画像情報が入力される際の入力経路であることを特徴とする。
【００１０】
請求項５に記載の発明は、請求項２〜４の何れか一項に記載の画像投影装置において、前記回転制御手段による回転制御を行うか否かの設定入力を行う設定入力手段を備えることを特徴とする。
【発明の効果】
【００１１】
請求項１に記載の発明によれば、算出手段により、記憶手段に記憶された画像情報における所定間隔のフレーム間での画像の変化率を算出することができ、判別手段により、画像投影装置に画像情報が入力される際の入力経路を判別することができる。そして、特定手段により、算出手段により算出された画像の変化率と、判別手段により判別された入力経路とによって、画像の内容を特定するができ、決定手段により、特定手段により特定された画像の内容に基づいて、予め設定されたカラーホイールの回転速度基準によって、カラーホイールの回転速度を決定することができる。すなわち、画像の変化率や入力経路によって、例えば、カラーブレーキング現象が起こりやすい画像であるか、カラーブレーキング現象が起こりにくい画像であるかを特定することができ、そして、例えば、カラーブレーキング現象が起こりやすい画像が入力された場合にのみ、カラーホイールを高速回転させることができる。したがって、カラーブレーキング現象を防止しつつ、効率的にカラーホイールを回転させることができ、さらに、高速回転の際に生じる回転音や振動に対して、常に不快感を抱くことを防ぐことができることとなって、より一層効率的にカラーブレーキング現象を防止することができる。
また、設定入力手段により、回転制御手段による回転制御を行うか否かの設定入力を行うことができる。すなわち、オペレータの意思によって、カラーホイールの回転制御を行うか否かを設定することができることとなって、より使い勝手の良い画像投影装置となる。
【００１２】
請求項２に記載の発明によれば、特定手段により、画像の内容を、予め設定された画像内容特定条件によって特定することができ、決定手段により、特定手段により特定された画像の内容に基づいて、予め設定されたカラーホイールの回転速度基準によって、カラーホイールの回転速度を決定することができる。すなわち、予め設定された画像内容特定条件によって、例えば、カラーブレーキング現象が起こりやすい画像であるか、カラーブレーキング現象が起こりにくい画像であるかを特定することができ、そして、例えば、カラーブレーキング現象が起こりやすい画像が入力された場合にのみ、カラーホイールを高速回転させることができる。したがって、カラーブレーキング現象を防止しつつ、効率的にカラーホイールを回転させることができ、さらに、高速回転の際に生じる回転音や振動に対して、常に不快感を抱くことを防ぐことができることとなって、効率的にカラーブレーキング現象を防止することができる。
【００１３】
請求項３に記載の発明によれば、請求項２に記載の発明と同様の効果が得られることは無論のこと、算出手段により、記憶手段に記憶された画像情報における所定間隔のフレーム間での画像の変化率を算出することができる。そして、特定手段は、画像内容特定条件としての画像情報における所定間隔のフレーム間での画像の変化率によって、画像の内容を特定することができる。すなわち、画像の変化率によって、例えば、カラーブレーキング現象が起こりやすい画像であるか、カラーブレーキング現象が起こりにくい画像であるかを特定することができることとなって、より効率的にカラーブレーキング現象を防止することができる。
【００１４】
請求項４に記載の発明によれば、請求項２又は３に記載の発明と同様の効果が得られることは無論のこと、判別手段により、画像投影装置に画像情報が入力される際の入力経路を判別することができる。そして、特定手段は、画像内容特定条件としての画像情報が入力される際の入力経路によって、画像の内容を特定することができる。すなわち、入力経路によって、例えば、カラーブレーキング現象が起こりやすい画像であるか、カラーブレーキング現象が起こりにくい画像であるかを特定することができることとなって、より一層効率的にカラーブレーキング現象を防止することができる。
【００１５】
請求項５に記載の発明によれば、請求項２〜４の何れか一項に記載の発明と同様の効果が得られることは無論のこと、設定入力手段により、回転制御手段による回転制御を行うか否かの設定入力を行うことができる。すなわち、オペレータの意思によって、カラーホイールの回転制御を行うか否かを設定することができることとなって、より使い勝手の良い画像投影装置となる。
【発明を実施するための最良の形態】
【００１６】
以下、図を参照して、本発明にかかる画像投影装置の最良の形態を詳細に説明する。なお、発明の範囲は、図示例に限定されない。
本実施の形態においては、画像投影装置として、ＤＬＰ（Digital Light Processor）方式プロジェクタを例示して説明する。
【００１７】
＜構成＞
まず、ＤＬＰ方式プロジェクタ１００の構成（要部構成及び内部構成）について説明する。
【００１８】
[ＤＬＰ方式プロジェクタの要部構成]
ＤＬＰ方式プロジェクタ１００は、例えば、図１に示すように、光源１１、光源１１からの光をＲＧＢの三色の光に色分解し、当該色分解したＲＧＢの三色の光を、ライトトンネル１３を介して、画像表示素子としてのＤＭＤ（Digital Micromirror Device）１４上に順次出射するカラーホイール１２、ＤＭＤ１４から入射されるＲＧＢの三色の光を出射して、スクリーンなどの画像照射面（図示省略）上に画像を投写する投写レンズ１５などを備えて構成される。
【００１９】
光源１１からの光は、例えば、図１に示すように、光路Ｌに沿って進む。具体的には、例えば、光源１１から照射される光は、カラーホイール１２とライトトンネル１３とを透過し、ＤＭＤ１４によって反射される。そして、ＤＭＤ１４によって反射された光は、投写レンズ１５に向かう。
【００２０】
カラーホイール１２は、例えば、図１に示すように、円板形状を成しており、光源１１とライトトンネル１３との間の光路Ｌ中に、光路Ｌに対して直交するように配置されている。
カラーホイール１２は、例えば、６分割されており、それぞれに、ＲＧＢの何れか一色の光を透過するカラーフィルタ１２Ｒ，１２Ｇ，１２Ｂ，１２Ｒ，１２Ｇ，１２Ｂを備えている。カラーホイール１２の中心部には、カラーホイール１２を回転させる回転軸１２１などが備えられている。回転軸１２１は、光源１１から照射される光の光路Ｌに対して平行となっており、カラーホイール１２は、回転軸１２１を中心に、回転制御手段としてのカラーホイール駆動部２８（後述）の駆動力によって、高速で回転するようになっている。そして、当該回転によって、カラーホイール１２は、色分解したＲＧＢの三色の光をＤＭＤ１４上に順次（例えば、ＲＧＢの順番で）出射するようになっている。
【００２１】
カラーフィルタ１２Ｒ，１２Ｒは、光源１１からの白色光のうち、Ｒ色（赤色）の光のみを透過するガラスなどによって形成されている。
カラーフィルタ１２Ｇ，１２Ｇは、光源１１からの白色光のうち、Ｇ色（緑色）の光のみを透過するガラスなどによって形成されている。
カラーフィルタ１２Ｂ，１２Ｂは、光源１１からの白色光のうち、Ｂ色（青色）の光のみを透過するガラスなどによって形成されている。
各カラーフィルタ１２Ｒ，１２Ｇ，１２Ｂ，１２Ｒ，１２Ｇ，１２Ｂは、例えば、図１に示すように、それぞれ面積が略等しい扇形状を成しており、カラーホイール１２の周方向に沿って順次（例えば、カラーフィルタ１２Ｒ，カラーフィルタ１２Ｇ，カラーフィルタ１２Ｂの順番で）配設されている。
【００２２】
ライトトンネル１３は、例えば、図１に示すように、中空の略直方体形状を成しており、カラーホイール１２とＤＭＤ１４との間の光路Ｌ中に、長手方向の軸が光路Ｌに対して平行となるように配置されている。
ライトトンネル１３は、例えば、ガラスなどから形成されており、内側の四つの面には、ミラーなどが蒸着されている。ライトトンネル１３は、カラーホイール１２から入射されるＲＧＢの三色の光を順次均一化し、当該均一化した光をＤＭＤ１４上に順次出射するようになっている。
【００２３】
ＤＭＤ１４は、例えば、図１に示すように、略矩形板形状を成しており、ライトトンネル１３からの光を投写レンズ１５に向けて反射する位置に配置されている。
ＤＭＤ１４は、例えば、数十万、数百万個以上の微細なミラー（図示省略）などを備えている。当該各微細なミラーは、それぞれ、ＤＭＤ駆動部２９（後述）によって角度制御され、ライトトンネル１３から入射される光を、画像情報を担持した画像表示光に変換して、投写レンズ１５に向けて反射するようになっている。
【００２４】
[ＤＬＰ方式プロジェクタの内部構成]
ＤＬＰ方式プロジェクタ１００は、例えば、図２に示すように、Ｉ／Ｆ部２１、Ａ／Ｄ変換部２２、バッファ２３、デコーダ２４、制御部２５、入力部２６、メモリ２７、カラーホイール駆動部２８、ＤＭＤ駆動部２９などを備えて構成される。各部は、バスＢによって接続されている。そして、ＤＬＰ方式プロジェクタ１００は、例えば、ケーブルＫ１やケーブルＫ２などによって、外部機器２００に備えられたＰＣ機器２１０やＡＶ機器２２０などと接続可能となっている。
【００２５】
Ｉ／Ｆ部２１は、外部機器２００との間で各種情報を入出力するためのインターフェイスである。Ｉ／Ｆ部２１は、具体的には、例えば、図２に示すように、入力経路としてのＰＣ（Personal Computer）ポート２１１や、入力経路としてのＡＶ（Audio Visual）ポート２１２などを備えている。
ＰＣポート２１１は、具体的には、例えば、外部機器２００が備えるＰＣ機器２１０と、ケーブルＫ１によって接続されており、ケーブルＫ１を介して各種情報を入出力する。
ＡＶポート２１２は、具体的には、例えば、外部機器２００が備えるＡＶ機器２２０と、ケーブルＫ２によって接続されており、ケーブルＫ２を介して各種情報を入出力する。
外部機器２００から入力される情報は、例えば、所定のファイル形式で圧縮されたアナログの画像情報（圧縮アナログ画像情報）などである。
【００２６】
Ａ／Ｄ変換部２２は、例えば、外部機器２００から入力された圧縮アナログ画像情報などを、デジタル化して、圧縮デジタル画像情報などに変換する。
【００２７】
バッファ２３は、記憶手段として、画像の画像情報を記憶する。
具体的には、バッファ２３は、例えば、Ａ／Ｄ変換部２２によって変換された圧縮デジタル画像情報などを、一時的に記憶する。
【００２８】
デコーダ２４は、例えば、バッファ２３に記憶された圧縮デジタル画像情報などを、デジタル画像情報などにデコードする。
【００２９】
制御部２５は、例えば、図２に示すように、ＣＰＵ（Central Processing Unit）２５１、ＲＡＭ（Random Access Memory）２５２、ＲＯＭ（Read Only Memory）２５３などを備える。
【００３０】
ＣＰＵ２５１は、ＲＯＭ２５３やメモリ２７に記憶されたＤＬＰ方式プロジェクタ１００用の各種処理プログラムに従って各種の制御動作を行う。
【００３１】
ＲＡＭ２５２は、ＣＰＵ２５１によって実行される処理プログラムなどを展開するためのプログラム格納領域や、入力データや上記処理プログラムが実行される際に生じる処理結果などを格納するデータ格納領域などを備える。
【００３２】
ＲＯＭ２５３は、ＤＬＰ方式プロジェクタ１００で実行可能なシステムプログラム、当該システムプログラムで実行可能な各種処理プログラム、これら各種処理プログラムを実行する際に使用されるデータ、ＣＰＵ２５１によって演算処理された処理結果のデータなどを記憶する。なお、プログラムは、コンピュータが読み取り可能なプログラムコードの形でＲＯＭ２５３に記憶されている。
【００３３】
入力部２６は、例えば、カーソルキー、文字／数字キー、各種機能キーなどから構成され、オペレータのキー操作に伴う押下信号をＣＰＵ２５１に出力する。また、入力部２６は、必要に応じてリモコンなど、その他の入力装置を備えるものとしてもよい。
具体的には、入力部２６は、例えば、設定入力手段として、オペレータが、回転制御手段としてのカラーホイール駆動部２８によるカラーホイール１２の回転制御を行うか否かの設定入力を行う際に使用される。
【００３４】
メモリ２７は、例えば、ＥＰＲＯＭ（Erasable Programmable ROM）、ＥＥＰＲＯＭ（Electrically Erasable Programmable ROM）、フラッシュメモリ、強誘電体メモリなどのデータの書き換えが可能な不揮発性メモリであり、ＤＬＰ方式プロジェクタ１００で実行可能なシステムプログラム、当該システムプログラムで実行可能な各種処理プログラムなどを記憶する。なお、プログラムは、コンピュータが読み取り可能なプログラムコードの形でメモリ２７に記憶されている。
具体的には、メモリ２７には、例えば、図２に示すように、入力経路判別プログラム２７１、画像変化率算出・判断プログラム２７２、画像内容特定プログラム２７３、回転速度決定プログラム２７４などが記憶されている。
【００３５】
入力経路判別プログラム２７１は、ＣＰＵ２５１に、ＤＬＰ方式プロジェクタ１００に画像情報が入力される際の入力経路を判別する機能を実現させる。
【００３６】
具体的には、例えば、入力部２６によりカラーホイール駆動部２８による「カラーホイール１２の回転制御を行う」と設定入力された場合において、外部機器２００からＤＬＰ方式プロジェクタ１００のＩ／Ｆ部２１に画像情報（圧縮アナログ画像情報）が入力されると、ＣＰＵ２５１は、入力経路判別プログラム２７１を実行して、例えば、当該画像情報が入力経路としてのＰＣポート２１１を通って入力されたか、当該画像情報が入力経路としてのＡＶポート２１２を通って入力されたかを判別する。
【００３７】
ＣＰＵ２５１は、かかる入力経路判別プログラム２７１を実行することによって、判別手段として機能する。
【００３８】
画像変化率算出・判断プログラム２７２は、ＣＰＵ２５１に、バッファ２３に記憶された画像情報における所定間隔のフレーム間での画像の変化率を算出し、当該画像の変化率が所定の閾値を超えるか否かを判断する機能を実現させる。
【００３９】
具体的には、例えば、入力部２６によりカラーホイール駆動部２８による「カラーホイール１２の回転制御を行う」と設定入力された場合において、外部機器２００からＩ／Ｆ部２１に画像情報（圧縮アナログ画像情報）が入力され、当該入力された圧縮アナログ画像情報がＡ／Ｄ変換部２２によって圧縮デジタル画像情報に変換され、当該変換された圧縮デジタル画像情報がバッファ２３に記憶されると、ＣＰＵ２５１は、画像変化率算出・判断プログラム２７２を実行して、例えば、まず、当該記憶された圧縮デジタル画像情報を、デコーダ２４によってデジタル画像情報にデコードする。次いで、ＣＰＵ２５１は、当該デジタル画像情報における所定間隔のフレーム間（例えば、６フレーム間隔）での画像の変化率を算出する。次いで、ＣＰＵ２５１は、当該算出した画像の変化率が所定の閾値（例えば、３０％）を超えるか否かを判断する。ここで、フレームとは、デジタル画像情報に基づく画像が、スクリーンなどの画像照射面（図示省略）上に投影された場合におけるフレームのことを指す。
【００４０】
ＣＰＵ２５１は、かかる画像変化率算出・判断プログラム２７２を実行することによって、算出手段として機能する。
【００４１】
画像内容特定プログラム２７３は、ＣＰＵ２５１に、画像の内容を、予め設定された画像内容特定条件によって特定する機能を実現させる。
【００４２】
具体的には、画像内容特定プログラム２７３は、ＣＰＵ２５１に、例えば、ＣＰＵ２５１の入力経路判別プログラム２７１の実行により判別された、画像情報が入力される際の入力経路（画像内容特定条件）によって、画像の内容を特定する機能を実現させる。
また、画像内容特定プログラム２７３は、ＣＰＵ２５１に、例えば、ＣＰＵ２５１の画像変化率算出・判断プログラム２７２の実行により算出された、画像情報における所定間隔のフレーム間での画像の変化率（画像内容特定条件）によって、当該画像の内容を特定する機能を実現させる。
【００４３】
より具体的には、ＣＰＵ２５１の入力経路判別プログラム２７１の実行により、ＤＬＰ方式プロジェクタ１００に画像情報が入力される際の入力経路がＰＣポート２１１であると判別されると、ＣＰＵ２５１は、画像内容特定プログラム２７３を実行して、例えば、当該画像情報における画像の内容は「ＰＣ画像」であると特定する。一方、ＣＰＵ２５１の入力経路判別プログラム２７１の実行により、ＤＬＰ方式プロジェクタ１００に画像情報が入力される際の入力経路がＡＶポート２１２であると判別されると、ＣＰＵ２５１は、画像内容特定プログラム２７３を実行して、例えば、当該画像情報における画像の内容は「ＡＶ画像」であると特定する。
また、ＣＰＵ２５１の画像変化率算出・判断プログラム２７２の実行により、バッファ２３に記憶された画像情報における所定間隔のフレーム間（例えば、６フレーム間隔）での画像の変化率が算出され、当該算出された画像の変化率が所定の閾値を超えないと判断されると、ＣＰＵ２５１は、画像内容特定プログラム２７３を実行して、例えば、当該画像の内容は、「動きの遅い画像」であると特定する。一方、ＣＰＵ２５１の画像変化率算出・判断プログラム２７２の実行により、バッファ２３に記憶された画像情報における所定間隔のフレーム間（例えば、６フレーム間隔）での画像の変化率が算出され、当該算出された画像の変化率が所定の閾値を超えると判断されると、ＣＰＵ２５１は、画像内容特定プログラム２７３を実行して、例えば、当該画像の内容は、「動きの速い画像」であると特定する。
【００４４】
ＣＰＵ２５１は、かかる画像内容特定プログラム２７３を実行することによって、特定手段として機能する。
【００４５】
回転速度決定プログラム２７４は、ＣＰＵ２５１に、ＣＰＵ２５１の画像内容特定プログラム２７３の実行により特定された画像の内容に基づいて、予め設定されたカラーホイール１２の回転速度基準によって、カラーホイール１２の回転速度を決定する機能を実現させる。
【００４６】
具体的には、例えば、「ＰＣ画像」は、「ＡＶ画像」よりも静止画像が多いため、ＣＰＵ２５１の画像内容特定プログラム２７３の実行により、画像の内容は「ＰＣ画像」であると特定された場合には、ＣＰＵ２５１は、回転速度決定プログラム２７４を実行することによって、画像の内容は「ＡＶ画像」であると特定された場合よりも低速となるよう、カラーホイール１２の回転速度を決定する。
また、例えば、ＣＰＵ２５１の画像内容特定プログラム２７３の実行により、画像の内容は「動きの速い画像」であると特定された場合には、ＣＰＵ２５１は、回転速度決定プログラム２７４を実行することによって、画像の内容は「動きの遅い画像」である特定された場合よりも高速となるよう、カラーホイール１２の回転速度を決定する。
【００４７】
より具体的に、回転速度決定プログラム２７４を実行したＣＰＵ２５１による、カラーホイール１２の回転速度の決定方法について、例えば、図３を参照して説明する。回転速度基準は、図３に示すように、例えば、『高』、『中』、『低』の三段階であるとする。
【００４８】
ここで、入力部２６によりカラーホイール駆動部２８による「カラーホイール１２の回転制御を行わない」と設定入力された場合（図３における[Ａ]）には、ＣＰＵ２５１は、回転速度決定プログラム２７４を実行することによって、カラーホイール１２の回転速度を、例えば、『中』に決定する。
【００４９】
例えば、入力部２６によりカラーホイール駆動部２８による「カラーホイール１２の回転制御を行う」と設定入力され、ＣＰＵ２５１の画像内容特定プログラム２７３の実行により画像の内容は「ＰＣ画像」であり、且つ、「動きの遅い画像」であると特定されると（図３における[Ｂ]）、すなわち、ＣＰＵ２５１の入力経路判別プログラム２７１の実行により入力経路がＰＣポート２１１であると判別されたこと（画像内容特定条件）によって、画像の内容は「ＰＣ画像」であると特定され、ＣＰＵ２５１の画像変化率算出・判断プログラム２７２の実行により画像の変化率が算出されて、当該算出された画像の変化率が所定の閾値（例えば、３０％）を超えないと判断されたこと（画像内容特定条件）によって、画像の内容は「動きの遅い画像」であると特定されると、ＣＰＵ２５１は、回転速度決定プログラム２７４を実行することによって、カラーホイール１２の回転速度を、例えば、『低』に決定する。
【００５０】
また、例えば、入力部２６によりカラーホイール駆動部２８による「カラーホイール１２の回転制御を行う」と設定入力され、ＣＰＵ２５１の画像内容特定プログラム２７３の実行により画像の内容は「ＰＣ画像」であり、且つ、「動きの速い画像」であると特定されると（図３における[Ｃ]）、すなわち、ＣＰＵ２５１の入力経路判別プログラム２７１の実行により入力経路がＰＣポート２１１であると判別されたこと（画像内容特定条件）によって、画像の内容は「ＰＣ画像」であると特定され、ＣＰＵ２５１の画像変化率算出・判断プログラム２７２の実行により画像の変化率が算出されて、当該算出された画像の変化率が所定の閾値（例えば、３０％）を超えると判断されたこと（画像内容特定条件）によって、画像の内容は「動きの速い画像」であると特定されると、ＣＰＵ２５１は、回転速度決定プログラム２７４を実行することによって、カラーホイール１２の回転速度を、例えば、『中』に決定する。
【００５１】
また、例えば、入力部２６によりカラーホイール駆動部２８による「カラーホイール１２の回転制御を行う」と設定入力され、ＣＰＵ２５１の画像内容特定プログラム２７３の実行により画像の内容は「ＡＶ画像」であり、且つ、「動きの遅い画像」であると特定されると（図３における[Ｄ]）、すなわち、ＣＰＵ２５１の入力経路判別プログラム２７１の実行により入力経路がＡＶポート２１２であると判別されたこと（画像内容特定条件）によって、画像の内容は「ＡＶ画像」であると特定され、ＣＰＵ２５１の画像変化率算出・判断プログラム２７２の実行により画像の変化率が算出されて、当該算出された画像の変化率が所定の閾値（例えば、３０％）を超えないと判断されたこと（画像内容特定条件）によって、画像の内容は「動きの遅い画像」であると特定されると、ＣＰＵ２５１は、回転速度決定プログラム２７４を実行することによって、カラーホイール１２の回転速度を、例えば、『中』に決定する。
【００５２】
また、例えば、入力部２６によりカラーホイール駆動部２８による「カラーホイール１２の回転制御を行う」と設定入力され、ＣＰＵ２５１の画像内容特定プログラム２７３の実行により画像の内容は「ＡＶ画像」であり、且つ、「動きの速い画像」であると特定されると（図３における[Ｅ]）、すなわち、ＣＰＵ２５１の入力経路判別プログラム２７１の実行により入力経路がＡＶポート２１２であると判別されたこと（画像内容特定条件）によって、画像の内容は「ＡＶ画像」であると特定され、ＣＰＵ２５１の画像変化率算出・判断プログラム２７２の実行により画像の変化率が算出されて、当該算出された画像の変化率が所定の閾値（例えば、３０％）を超えると判断されたこと（画像内容特定条件）によって、画像の内容は「動きの速い画像」であると特定されると、ＣＰＵ２５１は、回転速度決定プログラム２７４を実行することによって、カラーホイール１２の回転速度を、例えば、『高』に決定する。
【００５３】
ＣＰＵ２５１は、かかる回転速度決定プログラム２７４を実行することによって、決定手段として機能する。
【００５４】
カラーホイール駆動部２８は、回転制御手段として、ＣＰＵ２５１の回転速度決定プログラム２７４の実行により決定された回転速度でカラーホイール１２を回転させる。
具体的には、カラーホイール駆動部２８は、例えば、ＣＰＵ２５１の回転速度決定プログラム２７４の実行により、カラーホイール１２の回転速度が『高』に決定されると、カラーホイール１２を、その回転速度の限界の９０％の速度で回転させ、『中』に決定されると、その回転速度の限界の７０％の速度で回転させ、『低』に決定されると、その回転速度の限界の５０％の速度で回転させる。
【００５５】
ＤＭＤ駆動部２９は、例えば、ＣＰＵ２５１の制御に従って、ＤＭＤ１４が有する微細なミラー（図示省略）それぞれの角度制御を行う。
【００５６】
＜処理＞
次に、ＤＬＰ方式プロジェクタ１００における、入力経路の判別に関する処理（入力経路判別処理）及びカラーホイール１２の回転速度の決定に関する処理（回転速度決定処理）について説明する。
【００５７】
[入力経路判別処理]
まず、ＤＬＰ方式プロジェクタ１００における、入力経路の判別に関する処理について、図４のフローチャートを参照して説明する。
【００５８】
まず、オペレータによる入力部２６の操作によって、カラーホイール駆動部２８によるカラーホイール１２の回転制御を行うか否かの設定入力がされる（ステップＳ１１）。
【００５９】
次いで、外部機器２００からＤＬＰ方式プロジェクタ１００のＩ／Ｆ部２１に画像情報（圧縮アナログ画像情報）が入力されると（ステップＳ１２）、ＣＰＵ２５１は、入力経路判別プログラム２７１を実行して、当該画像情報が入力される際の入力経路がＰＣポート２１１であるか、ＡＶポート２１２であるかを判別する（ステップＳ１３）。
【００６０】
次いで、外部機器２００から入力された画像情報（圧縮アナログ画像情報）が、Ａ／Ｄ変換部２２により圧縮デジタル画像情報に変換され、バッファ２３に記憶されると（ステップＳ１４）、ＣＰＵ２５１は、外部機器２００からの画像情報の入力が停止したか否かを判断する（ステップＳ１５）。
【００６１】
ステップＳ１５において、外部機器２００からの画像情報の入力が停止していないと判断すると（ステップＳ１５；Ｎｏ）、ＣＰＵ２５１は、ステップＳ１４の処理を繰り返して行う。
【００６２】
一方、ステップＳ１５において、外部機器２００からの画像情報の入力が停止したと判断すると（ステップＳ１５；Ｙｅｓ）、ＣＰＵ２５１は、本処理を終了する。
【００６３】
[回転速度決定処理]
次に、ＤＬＰ方式プロジェクタ１００における、カラーホイール１２の回転速度の決定に関する処理について、図５のフローチャートを参照して説明する。
【００６４】
まず、ＣＰＵ２５１は、ステップＳ１４（図４）でバッファ２３に記憶させた画像情報（圧縮デジタル画像情報）を、バッファ２３から取得する（ステップＳ２１）。
【００６５】
次いで、ＣＰＵ２５１は、画像変化率算出・判断プログラム２７２を実行して、デコーダ２４に当該取得した画像情報（圧縮デジタル画像情報）をデコードさせ、当該デコードされた画像情報における所定間隔のフレーム間（例えば、６フレーム間隔）での画像の変化率を算出する（ステップＳ２２）。そして、当該算出した画像の変化率が所定の閾値（例えば、３０％）を超えるか否かを判断する（ステップＳ２３）。
【００６６】
次いで、ＣＰＵ２５１は、画像内容特定プログラム２７３を実行して、ステップＳ１１（図４）で設定入力された結果（カラーホイール駆動部２８による「カラーホイール１２の回転制御を行わない」、或いは、「カラーホイール１２の回転制御を行う」）、ステップＳ１３で判別された結果（入力経路がＰＣポート２１１、或いは、ＡＶポート２１２）及びステップＳ２２で算出されてステップＳ２３で判断された結果（算出した画像の変化率が所定の閾値を超えない、或いは、所定の閾値を超える）によって、外部機器２００からＤＬＰ方式プロジェクタ１００に入力された画像情報における画像の内容を特定する（ステップＳ２４）。
【００６７】
次いで、ＣＰＵ２５１は、回転速度決定プログラム２７４を実行して、ステップＳ２４で特定された画像の内容に基づいて、予め設定されたカラーホイール１２の回転速度基準（例えば、『高』、『中』、『低』）によって、カラーホイール１２の回転速度を決定する（ステップＳ２５）。具体的には、例えば、図３のように決定される。
【００６８】
次いで、ＣＰＵ２５１は、カラーホイール駆動部２８に、ステップＳ２５で決定した回転速度で回転するよう、カラーホイール１２の回転速度を制御させる（ステップＳ２６）。
【００６９】
次いで、ＣＰＵ２５１は、デコーダ２４によりデコードされたデジタル画像情報に基づいて、ＤＭＤ駆動部２９に、ＤＭＤ１４が有する微細なミラー（図示省略）の角度を制御させる（ステップＳ２７）。
【００７０】
次いで、ＣＰＵ２５１は、例えば、オペレータによる入力部２６の操作などによって、ＤＬＰ方式プロジェクタ１００における、画像の投影を終了するよう指示されたか否かを判断する（ステップＳ２８）。
【００７１】
ステップＳ２８において、画像の投影を終了するよう指示されていないと判断すると（ステップＳ２８；Ｎｏ）、ＣＰＵ２５１は、ステップＳ２１の処理を繰り返して行う。
【００７２】
一方、ステップＳ２８において、画像の投影を終了するよう指示されたと判断すると（ステップＳ２８；Ｙｅｓ）、ＣＰＵ２５１は、本処理を終了する。
【００７３】
以上説明した本発明のＤＬＰ方式プロジェクタ１００によれば、光源１１と、当該光源１１からの光をＲＧＢの三色の光に色分解し、当該色分解したＲＧＢの三色の光をＤＭＤ１４上に順次出射するカラーホイール１２と、ＤＭＤ１４から入射されるＲＧＢの三色の光を出射して、スクリーンなどの画像照射面（図示省略）上に画像を投写する投写レンズ１５と、を備え、バッファ２３によって、画像の画像情報を記憶することができ、ＣＰＵ２５１が画像変化率算出・判断プログラム２７２を実行することによって、バッファ２３に記憶された画像情報における所定間隔のフレーム間（例えば、６フレーム間隔）での画像の変化率を算出し、当該算出した画像の変化率が所定の閾値（例えば、３０％）を超えるか否かを判断することができる。また、ＣＰＵ２５１が入力経路判別プログラム２７１を実行することによって、ＤＬＰ方式プロジェクタ１００に画像情報が入力される際の入力経路（例えば、ＰＣポート２１１、或いは、ＡＶポート２１２）を判別することができる。そして、ＣＰＵ２５１が画像内容特定プログラム２７３を実行することによって、ＣＰＵ２５１の画像変化率算出・判断プログラム２７２の実行により算出されて判断された、画像情報における所定間隔のフレーム間での画像の変化率（画像内容特定条件）と、ＣＰＵ２５１の入力経路判別プログラム２７１の実行により判別された、画像情報が入力される際の入力経路（画像内容特定条件）とによって、画像の内容を特定することができ、ＣＰＵ２５１が回転速度決定プログラム２７４を実行することによって、ＣＰＵ２５１の画像内容特定プログラム２７３の実行により特定された画像の内容に基づいて、予め設定されたカラーホイール１２の回転速度基準（例えば、『高』、『中』、『低』）によって、カラーホイール１２の回転速度を決定することができ、カラーホイール駆動部２８によって、ＣＰＵ２５１の回転速度決定プログラム２７４の実行により決定された回転速度でカラーホイール１２を回転させることができる。
すなわち、画像の変化率や入力経路によって、例えば、カラーブレーキング現象が起こりやすい画像であるか、カラーブレーキング現象が起こりにくい画像であるかを特定することができ、そして、例えば、カラーブレーキング現象が起こりやすい画像が入力された場合にのみ、カラーホイールを高速回転させることができる。したがって、カラーブレーキング現象を防止しつつ、効率的にカラーホイールを回転させることができ、さらに、高速回転の際に生じる回転音や振動に対して、常に不快感を抱くことを防ぐことができることとなって、より一層効率的にカラーブレーキング現象を防止することができる。
【００７４】
また、入力部２６によって、カラーホイール駆動部２８によるカラーホイール１２の回転制御を行うか否かの設定入力を行うことができる。すなわち、オペレータの意思によって、カラーホイール１２の回転制御を行うか否かを設定することができることとなって、より使い勝手の良いＤＬＰ方式プロジェクタ１００となる。
【００７５】
なお、本発明は、上記した実施の形態のものに限るものではなく、その要旨を逸脱しない範囲で適宜変更可能である。
例えば、回転速度基準は、図３に示した『高』、『中』、『低』の三段階に限ることなく、任意である。
また、例えば、回転速度基準と画像の内容（「ＰＣ画像」であり、且つ、「動きの速い画像」である、など）との対応付けも、図３に限ることなく、任意である。
【００７６】
画像の変化率から画像の内容を特定する際の判断基準となる所定の閾値は、３０％の限りではなく、任意である。
また、入力経路がＰＣポート２１１の場合とＡＶポート２１２の場合とで、所定の閾値が同一でなくてもよく、例えば、入力経路がＰＣポート２１１の場合には、所定の閾値を１５％とし、入力経路がＡＶポート２１２の場合には、所定の閾値を３０％としてもよい。
【００７７】
画像情報が入力される際の入力経路（例えば、ＰＣポート２１１、或いは、ＡＶポート２１２）と、画像情報における所定間隔のフレーム間（例えば、６フレーム間隔）での画像の変化率の二つの画像内容特定条件から、画像の内容を特定するようにしたが、どちらか一つの画像内容特定条件から、画像の内容を特定するようにしてもよい。
具体的には、例えば、画像情報が入力される際の入力経路のみを画像内容特定条件として、入力経路がＰＣポート２１１である場合には、カラーホイール１２の回転速度を、例えば、『低』に決定し、入力経路がＡＶポート２１２である場合には、カラーホイール１２の回転速度を、例えば、『中』に決定するようにしてもよい。
また、例えば、画像情報における所定間隔のフレーム間での画像の変化率のみを画像内容特定条件として、画像の変化率が所定の閾値を超えない場合には、カラーホイール１２の回転速度を、例えば、『中』に決定し、画像の変化率が所定の閾値を超える場合には、カラーホイール１２の回転速度を、例えば、『高』に決定するようにしてもよい。
【００７８】
画像内容特定条件は、例えば、カラーブレーキング現象が起こりやすい画像であるか否かを特定することができるのであれば、画像情報が入力される際の入力経路や画像情報における所定間隔のフレーム間での画像の変化率の限りでなく、任意である。
【図面の簡単な説明】
【００７９】
【図１】本発明の実施の形態であるＤＬＰ方式プロジェクタの要部構成を示す図である。
【図２】本発明の実施の形態であるＤＬＰ方式プロジェクタの内部の機能的構成を示すブロック図である。
【図３】回転速度基準の例を示す説明図である。
【図４】ＤＬＰ方式プロジェクタにおける、入力経路の判別に関する処理を説明するためのフローチャートである。
【図５】ＤＬＰ方式プロジェクタにおける、カラーホイールの回転速度の決定に関する処理を説明するためのフローチャートである。
【符号の説明】
【００８０】
１１  光源
１２  カラーホイール
１４  ＤＭＤ（画像表示素子）
１５  投写レンズ
２３  バッファ（記憶手段）
２６  入力部（設定入力手段）
２８  カラーホイール駆動部（回転制御手段）
２１１  ＰＣポート（入力経路）
２１２  ＡＶポート（入力経路）
２５１  ＣＰＵ（判別手段、算出手段、特定手段、決定手段）
２７１  入力経路判別プログラム（判別手段）
２７２  画像変化率算出・判断プログラム（算出手段）
２７３  画像内容特定プログラム（特定手段）
２７４  回転速度決定プログラム（決定手段）
１００  ＤＬＰ方式プロジェクタ（画像投影装置）
【図１】
2007178593.tif 000003
【図２】
2007178593.tif 000004
【図３】
2007178593.tif 000005
【図４】
2007178593.tif 000006
【図５】
2007178593.tif 000007